(57)【要約】【課題】一般市場に流出した遊技機用の検査機が、非正規品の遊技機用プロセッサチップを正規品として特定することを防止する。【解決手段】本発明の実施例は、使用不可である検査機の情報を検査機及びチップに格納し、当該情報を更新し、さらに、当該情報を用いて使用不可である検査機を特定する。【選択図】図２
2018000725.tif 000002
【特許請求の範囲】
【請求項１】
遊技機システムであって、
プロセッサコアと第１の不揮発性メモリとを有する遊技機用装置と、
前記遊技機用装置を検査する遊技機用検査機であって、当該遊技機用検査機の識別子と当該識別子に関連付けされている検査機使用許可情報とを少なくとも記憶した第２の不揮発性メモリとプロセッサコアとを有し、前記遊技機用装置に接続可能であり、前記遊技機用装置と通信する遊技機用検査機であって、当該遊技機用検査機の識別子を前記遊技機用装置に送信する遊技機用検査機と、
を備え、
前記第１の不揮発性メモリは、一又は二以上の遊技機用検査機の使用が許可されているか否かを示す情報である検査機使用許可情報を当該一又は二以上の遊技機用検査機の識別子と関連付けて保存し、前記遊技機用装置は、受信した前記遊技機用検査機の識別子に関連付けされている検査機使用許可情報を前記第１の不揮発性メモリから取得し、取得した前記検査機使用許可情報が、前記遊技機用検査機の使用を許可していないことを示していることに応じて、前記遊技機用装置が、及び／又は、前記遊技機用装置が前記遊技機用検査機に送信した命令に基づいて前記遊技機用検査機が、前記遊技機用検査機による遊技機用装置の検査を中止する、及び／又は、前記遊技機用検査機の識別子に関連付けされている検査機使用許可情報が前記遊技機用検査機の使用を許可していないことを示すように、前記第２の不揮発性メモリの検査機使用許可情報を更新する、遊技機システム。
【請求項２】
遊技機用装置であって、
プロセッサコアと、
一又は二以上の遊技機用検査機の使用が許可されているかを否かを示す情報である検査機使用許可情報を当該一又は二以上の遊技機用検査機の識別子と関連付けて保存する第１の不揮発性メモリと、
を備え、
前記遊技機用装置は、前記遊技機用装置を検査する遊技機用検査機の識別子を当該遊技機用検査機から受信し、前記プロセッサコアは、受信した前記遊技機用検査機の識別子に関連付けされている検査機使用許可情報を前記第１の不揮発性メモリから取得し、
取得した前記検査機使用許可情報が、前記遊技機用検査機の使用を許可していないことを示していることに応じて、前記遊技機用装置が、及び／又は、前記遊技機用装置が前記遊技機用検査機に送信した命令に基づいて前記遊技機用検査機が、前記遊技機用検査機による遊技機用装置の検査を中止する、及び／又は、前記遊技機用検査機の第２の不揮発性メモリに記憶されている当該遊技機用検査機の識別子に関連付けされている検査機使用許可情報が前記遊技機用検査機の使用を許可していないことを示すように更新する、遊技機用装置。
【請求項３】
請求項２に記載の遊技機用装置は、チップである。
【請求項４】
請求項３に記載のチップを備えた、遊技機用基板。
【請求項５】
請求項２に記載のチップ又は請求項４に記載の遊技機用基板を備えた、遊技機。
【請求項６】
遊技機用装置を検査する遊技機用検査機であって、
プロセッサコアと
当該遊技機用検査機の識別子と当該識別子に関連付けされている検査機使用許可情報とを少なくとも記憶した第２の不揮発性メモリと
を有し、
前記遊技機用検査機は、前記遊技機用装置に接続可能であり、前記遊技機用装置と通信し、当該遊技機用検査機の識別子を前記遊技機用装置に送信し、
前記遊技機用装置が前記識別子を受信し、前記遊技機用装置の第１の不揮発性メモリに記憶されている当該遊技機用検査機の識別子に関連付けされている検査機使用許可情報前記遊技機用検査機の使用を許可していないことを示していることに応じて、前記遊技機用装置が、及び／又は、前記遊技機用装置が前記遊技機用検査機に送信した命令に基づいて前記遊技機用検査機が、前記遊技機用検査機による遊技機用装置の検査を中止する、及び／又は、前記遊技機用検査機の第２の不揮発性メモリに記憶されている当該遊技機用検査機の識別子に関連付けされている検査機使用許可情報が前記遊技機用検査機の使用を許可していないことを示すように更新する、遊技機用検査機。
【発明の詳細な説明】
【技術分野】
【０００１】
本発明は、遊技機用システム、装置及び検査機に関する。
【背景技術】
【０００２】
従来、パチンコ機や、回胴式遊技機とも称されるパチスロ機などの遊技機において、検査機を用いて、遊技機に実装されているプロセッサチップが正規のものであるか否かが検査されている。
【０００３】
検査機は、プロセッサチップが正規のものであるか否かを検査する。これにより、遊技機のプロセッサチップに改造などが施されていた場合、検査機は、プロセッサチップが正規品ではない（すなわち、非正規品）と特定することができる。
【０００４】
通常、検査機は検査機関や遊技機メーカなどが所有している。すなわち、検査機関や遊技機メーカに対してのみ販売が行われる。しかしながら、検査機を製造していた会社や遊技機メーカの倒産や、検査機の盗難などにより、検査機が一般市場に流出する可能性が存在する。このような状況において、一般市場に流出した古い検査機によるプロセッサチップの検査において、現在では非正規品として特定されるべきプロセッサチップが古い検査機によって正規品として特定される可能性が存在する。また、本来であれば非正規品として特定されるべきプロセッサチップを正規品として特定されるように検査機が改造された場合、改造された検査機を用いた検査機関は、非正規品のプロセッサチップを正規品として特定してしまう可能性がある。
【発明の概要】
【発明が解決しようとする課題】
【０００５】
一般市場に流出した遊技機用の検査機が、非正規品の遊技機用プロセッサチップを正規品として特定することを防止する。
【課題を解決するための手段】
【０００６】
本発明の実施例は、使用不可である検査機の情報を検査機及びチップに格納し、当該情報を更新し、さらに、当該情報を用いて使用不可である検査機を特定する。
【０００７】
本発明に実施例は、プロセッサコアと第１の不揮発性メモリとを有する遊技機用装置と、前記遊技機用装置を検査する遊技機用検査機であって、当該遊技機用検査機の識別子と当該識別子に関連付けされている検査機使用許可情報とを少なくとも記憶した第２の不揮発性メモリとプロセッサコアとを有し、前記遊技機用装置に接続可能であり、前記遊技機用装置と通信する遊技機用検査機であって、当該遊技機用検査機の識別子を前記遊技機用装置に送信する遊技機用検査機と、を備え、前記第１の不揮発性メモリは、一又は二以上の遊技機用検査機の使用が許可されているか否かを示す情報である検査機使用許可情報を当該一又は二以上の遊技機用検査機の識別子と関連付けて保存し、前記遊技機用装置は、受信した前記遊技機用検査機の識別子に関連付けされている検査機使用許可情報を前記第１の不揮発性メモリから取得し、取得した前記検査機使用許可情報が、前記遊技機用検査機の使用を許可していないことを示していることに応じて、前記遊技機用装置が、及び／又は、前記遊技機用装置が前記遊技機用検査機に送信した命令に基づいて前記遊技機用検査機が、前記遊技機用検査機による遊技機用装置の検査を中止する、及び／又は、前記遊技機用検査機の識別子に関連付けされている検査機使用許可情報が前記遊技機用検査機の使用を許可していないことを示すように、前記第２の不揮発性メモリの検査機使用許可情報を更新することができる。
【図面の簡単な説明】
【０００８】
【図１】遊技機に検査機を接続した状態のシステム全体を示す。
【図２】基板の構成を示す。
【図３】検査機の構成を示す。
【図４】本発明の実施例による処理フロー図を示す。
【発明を実施するための形態】
【０００９】
図１は、遊技機に検査機を接続した状態のシステム全体を示す。システム１００は、遊技機１５０及び検査機１１５を有する。図１において、検査機１１５は、遊技機１５０に接続されている。遊技機１５０は、一又は二以上の基板１０５を有する（図１では、基板は１つのみ示す）。一実施例において、遊技機１５０は、主基板及びサブ基板を有し、主基板は、主に遊技機の抽選を制御し、サブ基板は、遊技機の払出し及び／又は演出を制御する。各基板は、少なくとも一つのチップ１１０を有する。検査機１１５は、遊技機１５０に接続されると、一又は二以上の基板それぞれのチップが正規品であるか否かを検査する。一実施例において、図１に示したチップ１１０は、一つのチップ上で実装されていてもよい。そのような一つのチップは、マイクロコンピュータ、マイコン、ワンチップマイコン、プロセッサチップなどと称される。他の実施例において、チップ１１０は、それ自体でプロセッサとして提供されてもよい。遊技機において、基板１０５を主基板及び／又はサブ基板として用いた遊技機が構成されていてもよい。遊技機において、主基板は、主に遊技機の抽選を制御し、サブ基板は、遊技機の払出し及び／又は演出を制御する。
【００１０】
図２は、基板の構成を示す。基板１０５は、チップ１１０を有する。チップ１１０は、プロセッサコア２１０、周辺回路２１５、遊技用ROM２２０、検査機情報格納用ROM２２２、RAM２２５及び検査機通信部２３０を有する。遊技用ROM２２０は、遊技機を制御するための制御プログラムや、遊技機を動作させるための遊技プログラムなどを記憶する。検査機情報格納用ROM２２２は、検査機の使用許可を判定するための情報を記憶する。一実施例において、遊技用ROM２２０及び検査機情報格納用ROM２２２は、一つのROMによって実装されてもよい。この場合、一つのROMは、少なくとも第１及び第２のエリアを有し、第１のエリアには、遊技用ROM２２０が記憶すべき情報が記憶され、第２のエリアには、検査機情報格納用ROM２２２が記憶すべき情報が記憶される。検査機使用許可フラグは、所定の検査機が使用可能又は使用不可であるかを示す情報である。
【００１１】
周辺回路２１５は、チップ１１０に関連する周辺回路であり、プロセッサコア２１０などから命令を受信し、様々な処理を実行する。一実施例において、周辺回路２１５は、インタフェースであってもよく、当該インタフェースは、チップ１１０及び／又は基板１０５の周辺の回路である一又は二以上の周辺回路に命令やデータを送信し、及び／又は、一又は二以上の周辺回路から命令やデータを受信する。RAM２２５は、ワークRAMとして動作する。RAM２２５は、メインメモリとも称される。検査機通信部２３０は、検査機１１５と通信する回路である。
【００１２】
本実施例において、検査機使用許可フラグは、検査機情報格納用ROM２２２に記憶されているが、一実施例において、不揮発性のメモリにおいて置き換えることができる。不揮発性メモリは、FlashROMや、EEPROM、不揮発性RAMなどとすることができる。一実施例において、検査機使用許可フラグを記憶するメモリは、チップの外に配置されていてもよい。例えば、基板１０５が検査機使用許可フラグを記憶するメモリを有していても良い。
【００１３】
検査機情報格納用ROM２２２は、検査機の識別子と検査機使用許可フラグとを関連付けてそれぞれを記憶する。検査機の識別子と検査機使用許可フラグは、チップの製造時に記憶される。他の実施例において、遊技用ROM２２０に遊技プログラムを記憶する時などの遊技機の製造の際に、検査機の識別子と検査機使用許可フラグが検査機情報格納用ROM２２２に記憶されてもよい。検査機１１５は、それ自体の識別子を検査通信部２３０を介してチップ１１０に送信し、プロセッサコア２１０は、受信した識別子に関連付けされている検査機使用許可フラグを検査機情報格納用ROM２２２から取得する。プロセッサコア２１０は、検査機使用許可フラグが使用可能であることを表すと判定した場合、プロセッサコア２１０及び検査機１１５は、検査を開始する。プロセッサコア２１０は、検査機使用許可フラグが当該検査機が使用不可であることを表すと判定した場合、プロセッサコア２１０及び検査機１１５は、検査を中止する。また、プロセッサコア２１０は、検査機１１５の機能を停止するコマンドを検査機１１５に送信するなどの検査機の無効化処理を実行してもよい。一実施例において、検査機１１５が機能を停止するコマンドを受けると、検査機１１５は、自身の機能を無効化するようにしてもよい。
【００１４】
検査機情報格納用ROM２２２は、検査機の識別子と検査機使用許可フラグとを関連付けてそれぞれを記憶する。検査機の識別子は、検査機のメーカごとの識別子、検査機を利用する遊技機メーカ及び検査機関ごとの識別子、製品（モデル）毎の識別子、製品のバージョン毎の識別子、検査機毎の識別子、ユーザ毎の識別子など、又は、それらの２以上の組み合わせとすることができる。当業者であれば理解されるように、検査機の識別子にどのような情報が用いられるかによって、セキュリティレベルは変化する。検査機の識別子は、検査機の製造時や出荷時などに付加される。一実施例において、検査機１１５の製造時において、検査機の識別子は、ROM３２０などに書き込まれ、変更できないようにしてもよい。
【００１５】
図３は、検査機の構成を示す。検査機１１５は、プロセッサコア３１０、周辺回路３１５、ROM３２０、RAM３２５、検査機通信部３３０、検査回路３３５及び検査許可情報回路３４０を有する。ROM３２０は、検査機１１５を制御するための制御プログラムや、検査機を動作させるための検査機プログラムなどを記憶する。
【００１６】
周辺回路３１５は、検査機１１５内外の回路や装置に関連する周辺回路であり、プロセッサコア３１０などから命令を受信し、様々な処理を実行する。一実施例において、周辺回路３１５は、インタフェースであってもよく、当該インタフェースは、検査機１１５内外の回路や装置である一又は二以上の周辺回路に命令やデータを送信し、及び／又は、一又は二以上の周辺回路から命令やデータを受信する。RAM３２５は、ワークRAMとして動作する。RAM３２５は、メインメモリとも称される。検査機通信部３３０は、基板１０５と通信する回路である。
【００１７】
検査許可情報回路３４０は、所定の検査機が使用可能であるか否かを示す情報を記憶する。例えば、検査許可情報回路３４０は、各検査機の識別子に関連付けて当該各検査機が使用できるか否かを示す検査機使用許可フラグを記憶する。検査許可情報回路３４０は、ROM３２０と一体又はROM３２０の一部であってもよい。一実施例において、検査許可情報回路３４０及び／又はROM３２０は、不揮発性のメモリであってもよい。不揮発性メモリは、FlashROMや、EEPROM、不揮発性RAMなどとすることができる。
【００１８】
検査機１１５が動作を開始するとき、プロセッサコア３１０及び／又は検査回路３３５は、検査許可情報回路３４０に格納されている当該検査機１１５の識別子と当該識別子に関連付けされている検査機使用許可フラグとを取得する。検査機使用許可フラグが検査機が使用できることを示す場合、当該検査機１１５は、続けて処理を実行する。検査機使用許可フラグが当該検査機が使用できないことを示す場合、当該検査機１１５は、電源の供給を中止する、その後の如何なる処理も中止するなどの検査機１１５を無効化する（使用できないようにする）処理を実行することができる。なお、検査機１１５の動作の一部又は全部は、プロセッサコア３１０によって実行されてもよい、プロセッサコア３１０に基づいて検査回路３３５によって実行されてもよい、又は、プロセッサコア３１０及び検査回路３３５の協働によって実行されてもよい。
【００１９】
検査機使用許可フラグが検査機が使用できることを示す場合、検査機１１５は、当該検査機１１５の識別子を、検査機１１５の検査機通信部３３０及びチップ１１０の検索通信部２３０を介してチップ１１０に送信する。チップ１１０の検索通信部２３０が検査機１１５の識別子を取得すると、プロセッサコア２１０は、検査機１１５の識別子に基づいて、検査機情報格納用ROM２２２を検索し、検査機１１５の識別子に関連付けられている検査機使用許可フラグを検査機情報格納用ROM２２２から取得する。
【００２０】
検査機１１５の識別子に関連付けされている検査機使用許可フラグが当該検査機１１５が使用可能であることを示す場合、検査機１１５は、検査処理を続行する。検査機使用許可フラグが当該検査機１１５が使用不可であることを示す場合、検査処理の中止や、検査機１１５の無効化処理などの検査中断処理が実行される。一実施例において、検査機１１５から送信された識別子が検査機情報格納用ROM２２２に存在しない場合に検査中断処理が行われてもよい。検査中断処理は、チップ１１０が検査機１１５に送信した命令に基づいて、検査機１１５が自身への電源供給の中止や、後続処理ステップの中止などを行うことによって実現されてもよい。一実施例において、検査中断処理は、チップ１１０が検査機１１５からの通信の断絶や、後続処理ステップの中止などを実行することによって実現されてもよい。
【００２１】
検査機１１５の識別子に関連付けされている検査機使用許可フラグが当該検査機１１５が使用不可であることを示すことに応じて、検査機１１５の検査許可情報回路３４０における検査機使用許可フラグが更新される。すなわち、当該検査機１１５の識別子に関連付けされている検査機使用許可フラグが当該検査機１１５が使用不可であることを示すように更新される。検査機使用許可フラグの更新に関し、検査機１１５は、チップ１１０から送信される命令に基づいて、当該検査機１１５の識別子に関連付けされている検査機使用許可フラグが使用不可を示すように更新する。
【００２２】
一実施例において、チップ１１０は、検査機１１５の検査許可情報回路３４０における検査機使用許可フラグが使用不可を示すように更新する。この実施例に置いて、検査許可情報回路３４０がROMである場合、検査機使用許可フラグの更新に関し、チップ１１０は、検査許可情報回路３４０の書込み装置として動作する。
【００２３】
本発明の実施例により、チップ１１０における検査機使用許可フラグを用いることによって、検査機１１５を無効化することができる。チップ１１０は、常に製造されている。チップ１１０が新たに製造されるたびに、新たに製造されるチップ１１０における検査機情報格納用ROM２２２の検査機使用許可フラグは、常に更新される。したがって、新しいチップを検査する度に、管理されていない検査機を無効化することによって、そのような検査機を排除することができる。そして、管理されていない検査機１１５を排除することによって、すなわち、管理されている検査機１１５が検査で用いられることによって、チップが正規品であるか否かが正確に特定される。
【００２４】
図４は、本発明の実施例による処理フロー図を示す。まず、C会社の倒産などにより、検査機１１５が市場に流出し、検査機関や遊技機メーカなどが流出した検査機１１５を手に入れたと仮定する（ステップ４０５）。その後、遊技機装置の検査において、検査機１１５は、チップ１１０の識別子の読出しを開始する（ステップ４１０）。検査機１１５は、当該検査機１１５の識別子を読み出す。
【００２５】
一実施例において、検査機１１５は、当該検査機１１５の識別子に関連付けされている検査機使用許可フラグを検査許可情報回路３４０から取得してもよい。本実施例において、遊技機メーカであるC会社が用いる検査機の識別子は、識別子Cとする。検査機１１５は、検査機使用許可フラグが当該検査機１１５が使用可能であることを示しているか又は使用不可であることを示しているかを確認する。検査機使用許可フラグが使用不可であることを示している場合、検査機１１５は、以後の処理を中止、当該検査機１１５を無効化するなどの処理を実行してもよい。検査機使用許可フラグが使用可であることを示している場合、検査機１１５は、以後の処理を実行する。図４において、検査機使用許可フラグが「0x00」であること（例えば、図４中の参照番号４１２）は、当該検査機が使用可能であることを示し、検査機使用許可フラグが「0x0１」であること（例えば、図４中の参照番号４８２）は、当該検査機が使用不可であることを示す。
【００２６】
検査機１１５は、取得した当該検査機１１５の識別子をチップ１１０に送信する（ステップ４１５）。ここで、状態４００におけるチップ１１０は、C会社の倒産などが発生する前であって、C会社が作成した遊技機（又は遊技機を構成するためのチップ）が正規品である状態で製造されたチップである。
【００２７】
チップ１１０は、識別子を受信し、検査機１１５が接続されたことを検知する（ステップ４２０）。チップ１１０は、識別子Cに関連付けされている検査機使用許可フラグを検査機情報格納用ROM２２２から取得する。チップ１１０は、検査機使用許可フラグが当該検査機が使用可能であるか否かを判定する。検査機が使用可能であると判断すると、チップ１１０は、チップの識別子などの情報を検査機１１５に送信する（ステップ４２５）。チップ１１０は、チップの識別子の代わりに又はそれに加えて検査機１１５が使用可能であることを示す情報や他の情報を送信してもよい。検査機１１５は、チップ１１０からチップの識別子を受信すると、チップの識別子の読出しを完了する（ステップ４３０）。この後、検査機１１５は、チップ１１０の検査を開始する。
【００２８】
状態４５０において、チップ１１０は、C会社の倒産などが発生した後で生産されており、C会社の製造した遊技機を検査するための遊技機の検査が行える検査機は、チップ１１０の生産時において、もはや管理されていない状態である。まず、チップの製造時に、チップの検査機情報格納用ROM２２２において、C社の識別子に関連する検査機使用許可フラグに認証禁止を表す情報が書き込まれる（ステップ４３４）。
【００２９】
状態４５０において、検査機１１５は、まず、ステップ４１０と同様に、チップ１１０の識別子の読出しを開始する（ステップ４６０）。一実施例において、検査機１１５は、当該検査機１１５の識別子に関連付けされている検査機使用許可フラグと識別子を検査許可情報回路３４０から取得し、検査機１１５が使用可能であるか否かを判定してもよい。本実施例において、検査機使用許可フラグが「0x00」（４６２）であるから、当該検査機が使用可能であることを示す。
【００３０】
検査機１１５は、取得した当該検査機１１５の識別子Cをチップ１１０に送信する（ステップ４６５）。チップ１１０は、識別子Cを受信し、検査機１１５が接続されたことを検知する（ステップ４７０）。チップ１１０は、識別子Cに関連付けされている検査機使用許可フラグを検査機情報格納用ROM２２２から取得する。チップ１１０は、検査機使用許可フラグが当該検査機が使用可能であるか否かを判定する。検査機が使用不可であると判断する、すなわち、検査機情報格納用ROM２２２における識別子Cに関連付けされている検査機使用許可フラグが「0x01」であることを判定する。チップ１１０は、検査機１１５の使用を禁止する情報を検査機１１５に送信する（ステップ４７５）。チップ１１０は、それに加えて他の情報を送信してもよい。検査機１１５は、チップ１１０から検査機の使用を禁止する情報を受信すると、検査許可情報回路３４０において、識別子Cに関連付けされている検査機使用許可フラグを「0x01」に更新する。また、検査機１１５は、当該検査機の機能を停止する（ステップ４８０）。本実施例において、検査機使用許可情報（検査機使用許可フラグ）は「0x01」（４８２）となり以降、使用禁止となる。
【００３１】
一実施例において、検査許可情報回路３４０における検査機使用許可フラグの更新は、チップ１１０によって実現されてもよい。この場合、検査許可情報回路３４０がROMであるとき、チップ１１０は、検査機１１５における検査許可情報回路３４０の書込み装置として動作することができる。
【００３２】
状態４９０において、検査機１１５は、チップ１１０の識別子の読出しを開始しようとする（ステップ４９５）。この際、検査機１１５は、当該検査機１１５の識別子に関連付けされている検査機使用許可フラグを検査許可情報回路３４０から取得し、検査機使用許可フラグを判定する。当該識別子に関連付けされている検査機使用許可フラグの「0x01」（例えば、図４中の参照番号４９７）は、当該検査機が使用不可であること示すことから、検査機１１５は、その機能を停止し、後続の処理を中止する。
【００３３】
図４において、４４１及び４４２の表は、検査機１１５が記憶する情報の概要を示したものであり、４４３及び４４４の表は、チップ１１０が記憶する情報の概要を示したものである。一実施例において、４４１及び４４２の表は、検査機１１５が当該検査機の識別子と当該識別子に関連付けされた検査機使用許可フラグとを有する１つの組の情報のみを有しているが、これは一例であり、複数の識別子に関する情報を有する構成であってもよい。
【００３４】
４４１の表は、状態４００と状態４５０におけるステップ４８０の前までとの間の時間間隔において、検査許可情報回路３４０に格納されている情報の例を示し、４４２の表は、ステップ４８０の後における検査許可情報回路３４０に格納されている情報の例を示し、４４３の表は、状態４００における検査機情報格納用ROM２２２に格納されている情報の例を示し、４４４の表は、状態４５０における検査機情報格納用ROM２２２に格納されている情報の例を示す。検査機情報格納用ROM２２２は、４４３、４４４の表に示されるように、予備のエリアを有していてもよい。予備のエリアは、新たな遊技機メーカが追加されたときに用いられる。
【００３５】
上記実施例において、検査機１１５は、一つのハードウエアとして説明したが、一実施例において、検査機１１５は、チップの識別子を読み出すIDリーダ部及び検査部を少なくとも有する二以上のハードウエアから構成されていてもよい。この場合、IDリーダ部は、検査許可情報回路３４０及び検査機情報格納用ROM２２２にアクセスし、検査機及びチップの識別子に関する処理を実行し、検査機が使用できるか否かを決定することができる。本発明の実施例において、検査機１１５は、IDリーダ部を少なくとも有する構成であってもよい。検査機１１５の検査部は、当該検査機におけるIDリーダ部がチップ１１０の識別子を正常に取得できたことに応じて、チップ１１０の検査を実行することができる。
【００３６】
他の実施例において、検査機１１５は、検査機の識別子とは別にユーザの識別子の入力を受け付けるインタフェースを有していても良い。この場合、検査機１１５は、検査機を利用することができる又は利用することができないユーザを特定するユーザの識別子を記憶することができ、入力されたユーザ識別子に応じて、検査機１１５の使用を制御することができる。
【００３７】
他の実施例において、検査機情報格納用ROM２２２は、検査機を利用することができる又は利用することができないユーザを特定するユーザの識別子を記憶することができる。この場合、プロセッサコア２１０は、検査機１１５で入力されたユーザの識別子を受信し、受信したユーザの識別子が検査機情報格納用ROM２２２に存在するか否かを判定する。これにより、プロセッサコア２１０は、入力されたユーザ識別子に応じて、検査機１１５が利用できるか否かを判定する。プロセッサコア２１０は、判定した結果を検査機１１５に送信してもよい。検査機１１５は、判定した結果に応じて、検査機１１５の利用を制御する。
【００３８】
他の実施例において、直接又はインターネット等に接続された外部の検査機識別子提供装置より当該検査機の識別子を入手することができる。この時、外部装置は、前記ユーザの識別子等の検査機及び／又はユーザが特定できる情報を用いて認証を実行するようにしても良い。一実施例において、検査機識別子提供装置は、認証の条件が満たすときに、検査機に当該検査機の識別子を送信することができる。
【００３９】
一実施例において、基板１０５は遊技機用とすることができる。特許請求の範囲の請求項に記載の「検査機使用許可情報」は「検査機使用許可フラグ」に対応する。実施例の説明において、「検査機使用許可情報」は、フラグであることを前提に説明したが、当業者であれば理解されるように、「検査機使用許可情報」は、検査機が使用可能であるか否かを示すことができる情報であれば、どのような形態であってもよい。特許請求の範囲の請求項に記載の「第１の不揮発性メモリ」は、「検査機情報格納用ROM２２２」に対応し、「第２の不揮発性メモリ」は、「検査許可情報回路３４０」に対応する。特許請求の範囲の請求項に記載の「遊技機用装置」は、「チップ１１０」に対応する。
【００４０】
上記の実施例において、ハードウエアで実現するよう説明されたいくつかの要素の一部又は全ては、ソフトウエアで実現することができ、そして、ソフトウエアで実現するよう説明されたいくつかの要素の一部又は全ては、ハードウエアで実現することができることは理解されるであろう。
【００４１】
以上に説明した処理又は処理順序において、ある処理において、その処理ではまだ利用することができないはずのデータを利用しているなどの処理又は処理順序上の矛盾が生じない限りにおいて、処理又は処理順序を自由に変更することができる。
【００４２】
以上に説明してきた各実施例に関し、各実施例の一部又は全部を組み合わせて一つの実施例として実現されてもよい。
【００４３】
以上に説明してきた各実施例は、本発明を説明するための例示であり、本発明はこれらの実施例に限定されるものではない。本発明は、その要旨を逸脱しない限り、種々の形態で実施することができる。
【符号の説明】
【００４４】
１００  システム
１５０  遊技機
１１５  検査機
１０５  基板
１１０  チップ
２１０  プロセッサコア
２１５  周辺回路
２２０  遊技用ROM
２２２  検査機情報格納用ROM
２２５  RAM
２３０  検査機通信部
３１０  プロセッサコア
３１５  周辺回路
３２０  ROM
３２５  RAM
３３０  検査機通信部
３３５  検査回路
３４０  検査許可情報回路
【図１】
2018000725.tif 000003
【図２】
2018000725.tif 000004
【図３】
2018000725.tif 000005
【図４】
2018000725.tif 000006